(57)【要約】【課題】  暗い所でも、表示パネルに表示された情報を視認できると共に、これ以外の場所の表記部をも視認できる表示装置を提供する。【解決手段】  表示用開口部７および光透過性を有する複数の表記部が設けられた文字板３の下面に、第１ＥＬ発光素子４を、文字板３の表示用開口部７を除いて配置し、この第１ＥＬ発光素子４の下側に、液晶表示パネル５を文字板３の表示用開口部７と対応させて配置し、この液晶表示パネル５の下面に第２ＥＬ発光素子６を配置した。従って、第１、第２ＥＬ発光素子４、６を点灯すると、第２ＥＬ発光素子６が液晶表示パネル３の下面側を照明するので、液晶表示パネル５に表示された情報を、文字板３の表示用開口部７を通して、その上方から視認できると共に、第１ＥＬ発光素子４が文字板３の下面側を照明するので、その光が文字板３の光透過性を有する複数の表記部を透過し、これにより文字板３の複数の表記部を視認できる。【選択図】        図１
2007278821.tif 000002
【特許請求の範囲】
【請求項１】
表示用開口部および光透過性を有する複数の表記部が設けられた化粧板と、
この化粧板の下面に前記表示用開口部を除いて配置されて前記化粧板の下面側を照明する第１照明部材と、
この第１照明部材の下側に前記化粧板の前記表示用開口部に対応して配置された表示パネルと、
この表示パネルの下面に配置されて前記表示パネルの下面側を照明する第２照明部材と
を備えたことを特徴とする表示装置。
【請求項２】
前記第１、第２照明部材それぞれは、エレクトロ・ルミネッセンス発光素子であることを特徴とする請求項１に記載の表示装置。
【請求項３】
前記第１照明部材の前記エレクトロ・ルミネッセンス発光素子は、前記化粧板における前記複数の表記部に対応する部分のみが発光することを特徴とする請求項２に記載の表示装置。
【請求項４】
前記第１、第２照明部材それぞれは、光源と、この光源からの光を側面から採り込んで面方向に導きながら上面側に放出する導光板とを備えていることを特徴とする請求項１に記載の表示装置。
【請求項５】
前記化粧板と前記第１照明部材との間には、前記化粧板の前記複数の表記部に対応する個所に光透過性を有する異なる色の着色部が設けられた加飾シートが介在されていることを特徴とする請求項１〜４のいずれかに記載の表示装置。
【請求項６】
前記表示パネルと前記第２照明部材との間には、光透過性を有する着色シートが前記表示パネルに対応して介在されていることを特徴とする請求項１〜５のいずれかに記載の表示装置。
【発明の詳細な説明】
【技術分野】
【０００１】
この発明は、時計や携帯電話機、ＰＤＡ（パーソナル・デジタル・アシスタント）などの各種の電子機器に用いられる表示装置に関する。
【背景技術】
【０００２】
例えば、腕時計などの電子機器においては、特許文献１に記載されているように、液晶表示パネルの下側に半透過反射層を介して平板状のＥＬ（エレクトロ・ルミネッセンス）発光素子を配置し、これにより表示装置を構成したものがある。
【特許文献１】特開平１０−３０２９５９号
【０００３】
このような電子機器の表示装置では、暗い所でＥＬ発光素子を点灯させると、その光の一部が半透過反射層を透過して液晶表示パネルに照射されるので、暗い所でも液晶表示パネルに表示された情報を視認することができる。また、明るい所では、ＥＬ発光素子を消灯しても、外部光が液晶表示パネルを透過し、この透過した外部光の一部が半透過反射層で反射されて液晶表示パネルを照明するので、明るい所でも液晶表示パネルに表示された情報を視認することができる。
【発明の開示】
【発明が解決しようとする課題】
【０００４】
しかしながら、このような従来の表示装置では、液晶表示パネルの下側にＥＬ発光素子を配置し、このＥＬ発光素子で液晶表示パネルを照明しているので、暗い所でＥＬ発光素子を点灯させたときに、液晶表示パネルに表示された情報を視認することができても、液晶表示パネル以外の場所、例えば液晶表示パネル上の周囲に配置された文字板や見切り板などの化粧板に表示されたスイッチ釦の機能表記やインジケータ表記などの表記部が見えにくいという問題がある。
【０００５】
すなわち、スイッチ釦の機能表記は、スイッチ釦の機能を表すものであるから、スイッチ操作をする上で必要なものである。また、インジケータ表記は、液晶表示パネルに表示された情報が何を意味するものなのかを表すものであり、液晶表示パネルに表示された情報を見るときに重要な表記である。このため、スイッチ釦の機能表記やインジケータ表記などの表記部が見えないと、スイッチ操作がしにくいばかりか、液晶表示パネルに表示された情報を確認しにくい。
【０００６】
この発明が解決しようとする課題は、暗い所でも、表示パネルに表示された情報を視認することができると共に、これ以外の場所の表記部をも視認することができる表示装置を提供することである。
【課題を解決するための手段】
【０００７】
この発明は、上記課題を解決するために、次のような構成要素を備えている。
なお、各構成要素には、後述する各実施形態の項で説明される各要素に付されている図面の参照番号などを括弧と共に付す。
【０００８】
請求項１に記載の発明は、図１〜図１６に示すように、表示用開口部（７）および光透過性を有する複数の表記部（８）が設けられた化粧板（文字板３）と、この化粧板の下面に前記表示用開口部に対応する部分を除いて配置されて前記化粧板の下面側を照明する第１照明部材（第１ＥＬ発光素子４、２５、第１照明部材３１）と、この第１照明部材の下側に前記化粧板の前記表示用開口部に対応して配置された表示パネル（液晶表示パネル５）と、この表示パネルの下面に配置されて前記表示パネルの下面側を照明する第２照明部材（第２ＥＬ発光素子６、第２照明部材３２）とを備えたことを特徴とする表示装置である。
【０００９】
請求項２に記載の発明は、図１〜図１０、図１３〜図１６に示すように、前記第１、第２照明部材それぞれが、エレクトロ・ルミネッセンス発光素子（第１ＥＬ発光素子４、２５、第２ＥＬ発光素子６）であることを特徴とする請求項１に記載の表示装置である。
【００１０】
請求項３に記載の発明は、図８に示すように、前記第１照明部材の前記エレクトロ・ルミネッセンス発光素子（第１ＥＬ発光素子２５）が、前記化粧板（文字板３）における前記複数の表記部（８）に対応する部分のみが発光することを特徴とする請求項２に記載の表示装置である。
【００１１】
請求項４に記載の発明は、図１１および図１２に示すように、前記第１、第２照明部材（３１、３２）それぞれが、光源（第１、第２光源３４、３７）と、この光源からの光を側面から採り込んで面方向に導きながら上面側に放出する導光板（第１、第２導光板３５、３８）とを備えていることを特徴とする請求項１に記載の表示装置である。
【００１２】
請求項５に記載の発明は、図１３〜図１６に示すように、前記化粧板（文字板３）と前記第１照明部材（第１ＥＬ発光素子４）との間に、前記化粧板の前記複数の表記部（８）に対応する個所に光透過性を有する異なる色の着色部（４３〜４７）が設けられた加飾シート（第１印刷シート４１）が介在されていることを特徴とする請求項１〜４のいずれかに記載の表示装置である。
【００１３】
請求項６に記載の発明は、図１３〜図１６に示すように、前記表示パネル（液晶表示パネル５）と前記第２照明部材（第２ＥＬ発光素子６）との間に、光透過性を有する着色シート（第２印刷シート４２）が前記表示パネルに対応して介在されていることを特徴とする請求項１〜５のいずれかに記載の表示装置である。
【発明の効果】
【００１４】
請求項１に記載の発明によれば、表示用開口部および光透過性を有する複数の表記部が設けられた化粧板の下面に、その下面側を照明する第１照明部材を、化粧板の表示用開口部を除いて配置し、この第１照明部材の下側に表示パネルを化粧板の表示用開口部と対応させて配置し、この表示パネルの下面にその下面側を照明する第２照明部材を配置したので、第１、第２照明部材を点灯すると、第２照明部材が表示パネルの下面側を照明するので、表示パネルに表示された情報を化粧板の表示用開口部を通して化粧板の上方から視認することができると共に、第１照明部材が化粧板の下面側を照明するので、その照明光が化粧板の光透過性を有する複数の表記部を透過し、この透過した光によって化粧板の複数の表記部を視認することができる。
【００１５】
請求項２に記載の発明によれば、第１、第２照明部材それぞれが、エレクトロ・ルミネッセンス発光素子であることにより、請求項１に記載の発明と同様の作用効果があるほか、第１、第２照明部材をエレクトロ・ルミネッセンス発光素子によってそれぞれ薄く構成することができるので、第１、第２照明部材を備えていても、装置全体の薄型化を図ることができる。
【００１６】
請求項３に記載の発明によれば、第１照明部材のエレクトロ・ルミネッセンス発光素子が、化粧板における複数の表記部に対応する部分のみが発光することにより、エレクトロ・ルミネッセンス発光素子の発光面積を最小限に抑えることができ、これにより第１照明部材の消費電力を軽減することができる。
【００１７】
請求項４に記載の発明によれば、第１、第２照明部材それぞれが、光源と、この光源からの光を側面から採り込んで面方向に導きながら上面側に放出する導光板とを備えた構成であることにより、請求項１に記載の発明と同様の作用効果があるほか、第１、第２照明部材をエレクトロ・ルミネッセンス発光素子で構成する場合に比べて、低価格化を図ることができると共に、光源の輝度または光源の個数を選択することにより、化粧板および表示パネルの照度を最適な状態に設定することができ、これにより良好に化粧板および表示パネルを照明することができる。
【００１８】
請求項５に記載の発明によれば、化粧板と第１照明部材との間に、化粧板の複数の表記部に対応する個所に光透過性を有する異なる色の着色部が設けられた加飾シートが介在されていることにより、化粧板の複数の表記部を異なる色で照明することができ、これにより複数の表記部を色分けすることができるので、複数の表記部を見やすくすることができると共に、装飾性をも高めることができる。
【００１９】
請求項６に記載の発明によれば、表示パネルと第２照明部材との間に、光透過性を有する着色シートが表示パネルに対応して介在されていることにより、表示パネルに表示された情報の背景を着色することができ、これにより表示パネルに表示された情報を見やすくすることができると共に、これによっても装飾性を高めることができる。
【発明を実施するための最良の形態】
【００２０】
（実施形態１）
以下、図１〜図７を参照して、この発明の表示装置を腕時計に適用した実施形態１について説明する。
図１はこの発明の腕時計に組み込まれる時計モジュールを示した断面図である。
この時計モジュール１は、図１に示すように、ハウジング２を備えている。このハウジング２には、上から順に、文字板３、第１ＥＬ発光素子４、液晶表示パネル５、第２ＥＬ発光素子６が積層された状態で設けられている。
【００２１】
文字板３は、図２に示すように、全体が円板状に形成されている。この文字板３の中央部には、四角形状の表示用開口部７が上下に貫通して設けられており、その周囲には光透過性を有する複数の表記部８が設けられている。この複数の表記部８は、スイッチ釦（図示せず）の機能を表す機能表記や、液晶表示パネル５に表示された情報が何を意味するかを表すインジケータ表記などであり、文字や記号、図形などが打ち抜き加工によりくり抜かれ、これにより光が透過するように形成されている。
【００２２】
この場合、機能表記は、例えばＭＯＤＥ、ＡＤＪＵＳＴ、ＲＥＶＥＲＳＥ、ＦＯＲＷＡＲＤなどのアルファベットであり、文字板３の周囲に複数のスイッチ釦(図示せず)と対応して設けられている。インジケータ表記は、０〜９の数字、およびＡＬＭ、ＳＩＧ、ＳＮＺなどのアルファベット記号であり、文字板３における表示開口部７の上下辺に沿ってそれぞれ設けられ、液晶表示パネル５の上辺に沿って表示されたインジケータ８ａが０〜９の数字に対応して表示されると共に、液晶表示パネル５の下辺に沿って表示されたインジケータ８ａがＡＬＭ、ＳＩＧ、ＳＮＺのいずれかに対応して表示される。
【００２３】
また、第１ＥＬ発光素子４は、図３に示すように、全体が文字板３とほぼ同じ大きさの円板状に形成されており、その中央部には、文字板３の表示用開口部７と同じ大きさの四角形状の開口部９が上下に貫通して設けられている。この第１ＥＬ発光素子４は、図１に示すように、文字板３の下面に配置され、この状態でハウジング２上に設けられている。
【００２４】
この場合、第１ＥＬ発光素子４は、図示しないが、上面に金属製の電極層が設けられたベースシートと、下面にＩＴＯなどの透明な電極層が設けられた透明な絶縁シートと、ベースシートの電極層と絶縁シートの電極層との間に設けられたＥＬ発光層とを備え、上下の電極層に電圧が印加されると、ＥＬ発光層が発光し、その光が上面側の透明な絶縁シートから放出され、これにより面発光するように構成されている。
【００２５】
液晶表示パネル５は、図４に示すように、全体が文字板３の表示用開口部７および第１ＥＬ発光素子４の開口部９とほぼ同じ大きさの四角形の平板状に形成され、図１に示すように、第１ＥＬ発光素子４の下側にその開口部９および文字板３の表示用開口部７と対応して配置され、この状態でハウジング２内に設けられている。
【００２６】
この液晶表示パネル５は、図示しないが、上下一対の透明基板の対向面にそれぞれＩＴＯなどの透明な電極層を対向させて設け、これらの電極層間に液晶を封入し、上下の透明基板の各外面にそれぞれ偏光板を配置し、この状態で上下の電極層に選択的に電圧を印加することにより、情報およびインジケータ８ａを電気光学的に表示するように構成されている。この場合、下側の透明基板における偏光板の下面には、半透過反射シートが設けられている。
【００２７】
第２ＥＬ発光素子６は、図５に示すように、全体が液晶表示パネル５とほぼ同じ大きさの四角形の平板状に形成され、図１に示すように、液晶表示パネル５の下面に配置され、この状態でハウジング２内に設けられている。この第２ＥＬ発光素子６も、第１ＥＬ発光素子４と同様、上面に金属製の電極層が設けられたベースシートと、下面にＩＴＯなどの透明な電極層が設けられた透明な絶縁シートと、ベースシートの電極層と絶縁シートの電極層との間に設けられたＥＬ発光層とを備え、上下の電極層に電圧が印加されると、ＥＬ発光層が発光し、その光が上面側の透明な絶縁シートから放出され、これにより面発光するように構成されている。
【００２８】
次に、この腕時計の回路構成について、図６のブロック図を参照して説明する。
この腕時計の回路は、その回路全般を制御するＣＰＵ（中央演算処理装置）１０と、予めプログラムが格納されたＲＯＭ１１と、処理情報が読み出し可能に書き込まれるＲＡＭ１２と、発信回路１３からの発信信号を分周する分周回路１４と、液晶表示パネル５である表示部１５を駆動する表示駆動回路１６と、第１、第２ＥＬ発光素子４、６を駆動するＥＬ駆動回路１７と、スピーカ１８を駆動するブザー回路１９と、回路全体に電源を供給する電池２０とを備えている。
【００２９】
この場合、ＣＰＵ１０は、ＲＯＭ１１に格納されたプログラムに従って回路全般を制御する。すなわち、このＣＰＵ１０は、通常は、発信回路１３からの発信信号が分周回路１４で分周され、その分周された時刻情報に基づいて表示駆動回路１６を制御して表示部１５に時刻などの情報を表示させると共に表示された情報をＲＡＭ１２に書き込む。また、ＲＡＭ１２に予め書き込まれたアラーム時刻になると、ブザー回路１９を制御してスピーカ１８からアラーム音を放音する。さらに、スイッチ操作によって点灯信号が入力されると、ＥＬ駆動回路１７を制御して第１、第２ＥＬ発光素子４、６を発光させる。
【００３０】
このように、第１、第２ＥＬ発光素子４、６がスイッチ操作によって点灯すると、図７に示すように、暗い所でも、文字板３に設けられた複数の表記部８を見ることができると共に、液晶表示パネル５に表示された情報を、文字板３の表示用開口部７および第１ＥＬ発光素子４の開口部９を通して、文字板３の上方から見ることができる。
すなわち、第１、第２ＥＬ発光素子４、６のうち、第１ＥＬ発光素子４が点灯して面発光すると、その光が文字板３の下面に照射され、この照射された光の一部が文字板３に設けられた複数の表記部８をそれぞれ透過するので、文字板３の複数の表記部８を視認することができる。
【００３１】
また、第２ＥＬ発光素子６が点灯して面発光すると、その光の一部が液晶表示パネル５の半透過反射シートを透過して液晶表示パネル５に入射し、この入射した光が液晶表示パネル５を透過して文字板３の表示用開口部７および第１ＥＬ発光素子４の開口部９から文字板３の上方に放出されるので、図７に示すように、液晶表示パネル５に表示された情報を、文字板３の表示用開口部７および第１ＥＬ発光素子４の開口部９を通して、文字板３の上方から視認することができる。
【００３２】
また、明るい所では、外部光が文字板３の上面に照射されるので、図７に示すように、文字板３に設けられた複数の表記部８を見ることができると共に、液晶表示パネル５に表示された情報を文字板３の表示用開口部７および第１ＥＬ発光素子４の開口部９を通して見ることができる。
すなわち、文字板３の上面に外部光が照射されると、文字板３の複数の表記部８を見ることができると共に、その外部光が文字板３の表示用開口部７および第１ＥＬ発光素子４の開口部９を通り、液晶表示パネル５を透過して液晶表示パネル５の半透過反射シートに照射され、この照射された外部光の一部が半透過反射シートで反射されるので、この反射光によって液晶表示パネル５に表示された情報を視認することができる。
【００３３】
このように、この腕時計の表示装置によれば、暗い所で第１、第２ＥＬ発光素子４、６を点灯させることにより、液晶表示パネル５に表示された情報を、文字板３の表示用開口部７および第１ＥＬ発光素子４の開口部９を通して、文字板３の上方から見ることができると共に、文字板３に設けられた複数の表記部８をも見ることができるので、暗い所でも、複数の表記部８によってスイッチ釦を良好に操作することができる共に、液晶表示パネル５に表示された情報が何を意味するのかをも確認することができ、このため使い勝手の良いものを得ることができる。
【００３４】
なお、上記実施形態１では、第１ＥＬ発光素子４がその開口部９を除いた全表面で面発光する場合について述べたが、これに限らず、例えば図８に示す第１変形例のように、第１ＥＬ発光素子２５を文字板３の複数の表記部８に対応する部分のみが面発光するように構成しても良い。
【００３５】
この場合には、図８に示すように、第１ＥＬ発光素子２５のベースシートの上面に設けられた金属製の電極層２５ａと、絶縁シートの下面に設けられたＩＴＯなどの透明な電極層２５ｂとのうち、少なくとも一方の電極層２５ａまたは２５ｂを文字板３の複数の表記部８に対応する部分のみに設けた構成にすれば良い。このように構成すれば、第１ＥＬ発光素子２５の発光面積を最小限に抑えることができるので、消費電力を実施形態１の第１ＥＬ発光素子４よりも軽減することができる。
【００３６】
また、上記実施形態１では、第１、第２ＥＬ発光素子４、６を同時に駆動する場合について述べたが、これに限らず、例えば図９に示す第２変形例のように、第１、第２ＥＬ発光素子４、６を個別に駆動するように構成しても良い。この場合の回路構成は、第１ＥＬ発光素子４を駆動する第１ＥＬ駆動回路２６と、第２ＥＬ発光素子６を駆動する第２ＥＬ駆動回路２７とを備え、スイッチ操作に応じてＣＰＵ１０が第１、第２ＥＬ駆動回路２６、２７を個別に制御するように構成すれば良い。
【００３７】
このような回路構成にすれば、スイッチ操作に基づいてＣＰＵ１０が第１、第２ＥＬ駆動回路２６、２７の両者を個別に制御して、第１、第２ＥＬ発光素子４、６を同時に点灯させると、実施形態１と同様、暗い所でも表示部１５である液晶表示パネル５に表示された情報を見ることができると共に、文字板３の複数の表記部８をも見ることができる（図１０（ａ）参照）。
【００３８】
また、暗い所で文字板３の複数の表記部８を照明する必要がない場合には、スイッチ操作によってＣＰＵ１０が第１、第２ＥＬ駆動回路２６、２７のうち、第２ＥＬ駆動回路２７のみを制御して、第２ＥＬ発光素子６のみを点灯させることができる。このときには、図１０（ｂ）に示すように、文字板３の複数の表記部８は見えないが、表示部１５である液晶表示パネル５に表示された情報のみを見ることができ、これにより消費電力を軽減することができる。
【００３９】
（実施形態２）
次に、図１１および図１２を参照して、この発明を腕時計に適用した実施形態２について説明する。なお、図１〜図７に示された実施形態１と同一部分には同一符号を付して説明する。
この腕時計の時計モジュール３０は、図１１に示すように、文字板３の下面側を照明する第１照明部材３１と、液晶表示パネル５の下面側を照明する第２照明部材３２と、図１２に示すように、第１、第２照明部材３１、３２を駆動する光源駆動回路３３とを備えた構成で、これ以外は実施形態１とほぼ同じ構成になっている。
【００４０】
すなわち、第１照明部材３１は、図１１に示すように、第１光源３４と、この第１光源３４からの光を側面から採り込んで面方向に導きながら上面側に放出する第１導光板３５とを備えている。第１光源３４は、発光ダイオード（ＬＥＤ）やランプであり、第１導光板３５の側面に対向して１個または複数個が配置されている。第１導光板３５は、文字板３とほぼ同じ大きさの円板状に形成され、その中央部に文字板３の表示用開口部７と同じ大きさの開口部３６が設けられ、側面から第１光源３４の光を採り込み、この採り込んだ光を面方向に導きながら上面側に放出することにより、面発光して文字板３の下面側を照明するように構成されている。
【００４１】
また、第２照明部材３２は、図１１に示すように、第１照明部材３１と同様、第２光源３７と、この第２光源３７からの光を側面から採り込んで面方向に導きながら上面側に放出する第２導光板３８とを備えている。第２光源３７は、第１照明部材３１の第１光源３４と同様、発光ダイオード（ＬＥＤ）やランプであり、第２導光板３８の側面に対向して１個または複数個が配置されている。第２導光板３８は、液晶表示パネル５と同じ大きさの四角形状に形成され、その側面から第２光源３７の光を採り込み、この採り込んだ光を面方向に導きながら上面側に放出することにより、面発光して液晶表表示パネル５の下面側を照明するように構成されている。
【００４２】
このような腕時計では、スイッチ操作によって点灯信号が入力されると、ＣＰＵ１０が光源駆動回路３３を制御して第１、第２照明部材３１、３２の第１、第２光源３４、３７を点灯させるので、実施形態１と同様、暗い所でも、文字板３に設けられた表記部８を見ることができると共に、液晶表示パネル５に表示された情報を、文字板３の表示用開口部７および第１照明部材３１の開口部３６を通して、文字板３の上方から見ることができる。
【００４３】
すなわち、第１、第２照明部材３１、３２のうち、第１照明部材３１の第１光源３４が点灯すると、その光が第１導光板３５内にその側面から入射し、この入射した光が第１導光板３５で面方向に導かれながら上面側に放出されて面発光するので、その面発光により文字板３の下面側が照明され、この照明光の一部が文字板３に設けられた複数の表記部８を透過することにより、実施形態１と同様、文字板３の複数の表記部８を視認することができる。
【００４４】
また、第２照明部材３２の第２光源３７が点灯すると、その光が第２導光板３８内にその側面から入射し、この入射した光が第２導光板３８で面方向に導かれながら上面側に放出されて面発光するので、その光の一部が液晶表示パネル５の半透過反射シートを透過して液晶表示パネル５に入射し、この入射した光が液晶表示パネル５を透過して文字板３の表示用開口部７および第１照明部材３１の開口部３６から文字板３の上方に放出されるので、実施形態１と同様、液晶表示パネル５に表示された情報を、文字板３の表示用開口部７および第１照明部材３１の開口部３６を通して、文字板３の上方から視認することができる。
【００４５】
このように、この腕時計の表示装置においても、暗い所で液晶表示パネル５に表示された情報を、文字板３の表示用開口部７および第１照明部材３１の開口部３６を通して、文字板３の上方から見ることができると共に、文字板３に設けられた複数の表記部８を見ることができるので、暗い所でも、複数の表記部８によってスイッチ釦を良好に操作することができる共に、液晶表示パネル５に表示された情報が何を意味するのかをも確認することができ、このため使い勝手の良いものを得ることができる。
【００４６】
この場合、第１、第２照明部材３１、３２は、第１、第２光源３４、３７と第１、第２導光板３５、３８とで構成されているので、実施形態１の第１、第２ＥＬ発光素子４、６に比べて低価格化を図ることができると共に、第１、第２光源３４、３７の輝度または第１、第２光源３４、３７の個数を選択することにより、文字板３および液晶表示パネル５に対する照度を最適な状態に設定することができ、これにより良好に文字板３および液晶表示パネル５を照明することができる。
【００４７】
（実施形態３）
次に、図１３〜図１６を参照して、この発明を腕時計に適用した実施形態３について説明する。この場合にも、図１〜図７に示された実施形態１と同一部分に同一符号を付して説明する。
この腕時計の時計モジュール４０は、図１３に示すように、文字板３と第１ＥＬ発光素子４との間に第１印刷シート４１を設け、液晶表示パネル５と第２ＥＬ発光素子６との間に第２印刷シート４２を設けた構成で、これ以外は実施形態１とほぼ同じ構成になっている。
【００４８】
第１印刷シート４１は、図１４に示すように、文字板３とほぼ同じ大きさの円形状の透明なシートであり、文字板３の複数の表記部８に対応する個所に、光透過性を有する異なる色の着色部４３〜４７がそれぞれ設けられている。すなわち、この着色部４３〜４７は、特定波長の光を透過する印刷層である。この場合、着色部４３〜４７のうち、着色部４３は、図１４に示すように、複数の表記部８のうち、スイッチ釦の機能を表す機能表記に対応する個所にそれぞれ設けられ、その色が例えば青色に着色され、これにより青色の光を透過する。
【００４９】
また、着色部４４は、図１４に示すように、インジケータ表記のうち、０〜９の数字に対応する個所に設けられ、その色が例えば黄色に着色され、これにより黄色の光を透過する。着色部４５は、インジケータ表記のうち、「ＡＬＭ」の文字に対応する個所に設けられ、その色が例えば緑色に着色され、これにより緑色の光を透過する。着色部４６は、インジケータ表記のうち、「ＳＩＧ」の文字に対応する個所に設けられ、その色が例えば黄色に着色され、これにより黄色の光を透過する。着色部４７は、インジケータ表記のうち、「ＳＮＺ」の文字に対応する個所に設けられ、その色が例えば赤色に着色され、これにより赤色の光を透過する。
【００５０】
一方、第２印刷シート４２は、図１５に示すように、液晶表示パネル５と同じ大きさの四角形状の透明なシートであり、所定波長の光を透過するように着色されている。この場合、第２印刷シート４２は、例えばピンク色に着色され、このピンク色の光を透過することにより、第２ＥＬ発光素子６を点灯したときに、液晶表示パネル５に表示された情報の背景をピンク色に着色するように構成されている。
【００５１】
このような腕時計によれば、暗い所で第１、第２ＥＬ発光素子４、６が点灯すると、実施形態１と同様、文字板３に設けられた複数の表記部８を見ることができると共に、液晶表示パネル５に表示された情報を、文字板３の表示用開口部７および第１ＥＬ発光素子４の開口部９を通して、文字板３の上方から見ることができるほか、特に図１６（ａ）に示すように、文字板３と第１ＥＬ発光素子４との間に配置された第１印刷シート４１に文字板３の複数の表記部８に対応して異なる色の着色部４３〜４７が設けられているので、文字板３の複数の表記部８を異なる色で照明することができる。
【００５２】
例えば、第１印刷シート４１の着色部４３によって文字板３の機能表記を青色に着色することができ、着色部４４によって文字板３におけるインジケータ表記のうち、０〜９の数字に対応する表記を黄色に着色することができ、着色部４５によってインジケータ表記のうち、「ＡＬＭ」の文字に対応する表記を緑色に着色することができ、着色部４６によってインジケータ表記のうち、「ＳＩＧ」の文字に対応する表記を黄色に着色することができ、着色部４７によってインジケータ表記のうち、「ＳＮＺ」の文字に対応する表記を赤色に着色することができる。これにより、複数の表記部８を色分けすることができるので、複数の表記部８を見やすくすることができると共に、色彩性および装飾性をも高めることができる。
【００５３】
また、液晶表示パネル５と第２ＥＬ発光素子６との間に配置された第２印刷シート４２が所定の色、例えばピンク色で着色されて所定波長の光のみを透過するように構成されているので、液晶表示パネル５に表示された情報の背景を所定の色、例えばピンク色で着色することができ、これにより液晶表示パネル５に表示された情報を見やすくすることができると共に、これによっても色彩性および装飾性を高めることができる。
【００５４】
この場合、明るい所では、実施形態１と同様、外部光によって文字板３に設けられた複数の表記部８を見ることができると共に、液晶表示パネル５に表示された情報を文字板３の表示用開口部７および第１ＥＬ発光素子４の開口部９を通して見ることはできるが、第１、第２ＥＬ発光素子４、６が点灯していないため、液晶表示パネル５の背景色は、図１６（ｂ）に示すように、第２印刷シート４２による所定の色、例えばピンク色に着色されず、白色になる。ただし、このときにも、文字板３の複数の表記部８は、第１印刷シート４１の各着色部４３〜４７によってそれぞれ異なる色に着色されるので、複数の表記部８を色分けすることができ、これにより複数の表記部８を見やすくすることができると共に、色彩性および装飾性をも高めることができる。
【００５５】
なお、上記実施形態３では、第１、第２照明部材として第１、第２ＥＬ発光素子４、６を用いた場合について述べたが、これに限らず、例えば実施形態２のように、第１、第２光源３４、３７と第１、第２導光板３５、３８とからなる第１、第２照明部材３１、３２を用いても良い。このような構成でも、実施形態３と同様の作用効果がある。
【００５６】
また、上記実施形態１〜３およびその各変形例では、化粧板として、文字板３を用いた場合について述べたが、これに限らず、例えば見切り板を用いても良い。
さらに、上記実施形態１〜３およびその各変形例では、腕時計に適用した場合について述べたが、必ずしも腕時計である必要はなく、トラベルウオッチ、目覚まし時計、置き時計、掛け時計などの各種の時計に適用することができるほか、これに限らず、携帯電話機、ＰＤＡ（パーソナル・デジタル・アシスタント）などの電子機器にも広く適用することができる。
【図面の簡単な説明】
【００５７】
【図１】この発明を適用した腕時計の時計モジュールを示した要部の断面図である。(実施形態１)
【図２】図１の文字板を示した正面図である。
【図３】図１の第１ＥＬ発光素子の正面図である。
【図４】図１の液晶表示パネルの正面図である。
【図５】図１の第２ＥＬ発光素子の正面図である。
【図６】図１の腕時計の回路構成を示したブロック図である。
【図７】図１の時計モジュールにおける表示装置の点灯時の表示状態を示した正面図である。
【図８】この発明の実施形態１の第１変形例における第１ＥＬ発光素子の正面図である。
【図９】この発明の実施形態１の第２変形例における回路構成を示したブロック図である。
【図１０】図９の第２変形例における表示装置の表示状態を示し、（ａ）は第１、第２ＥＬ発光素子の両方を点灯したときの表示状態を示した正面図、（ｂ）は第２ＥＬ発光素子のみを点灯したときの表示状態を示した正面図である。
【図１１】この発明を適用した腕時計の時計モジュールを示した要部の断面図である。(実施形態２)
【図１２】図１１の腕時計の回路構成を示したブロック図である。
【図１３】この発明を適用した腕時計の時計モジュールを示した要部の断面図である。(実施形態３)
【図１４】図１３の第１印刷シートを示した正面図である。
【図１５】図１３の第２印刷シートを示した正面図である。
【図１６】図１３の表示装置における表示状態を示し、（ａ）は第１、第２ＥＬ発光素子の両方を点灯したときの表示状態を示した正面図、（ｂ）は第１、第２ＥＬ発光素子を消灯したときの表示状態を示した正面図である。
【符号の説明】
【００５８】
１、３０、４０  時計モジュール
３  文字板
４、２５  第１ＥＬ発光素子
５  液晶表示パネル
６  第２ＥＬ発光素子
７  表示用開口部
８  複数の表記部
９、３６  開口部
３１  第１照明部材
３２  第２照明部材
３４、３７  第１、第２光源
３５、３８  第１、第２導光板
４１  第１印刷シート
４２  第２印刷シート
４３〜４７  着色部
【図１】
2007278821.tif 000003
【図２】
2007278821.tif 000004
【図３】
2007278821.tif 000005
【図４】
2007278821.tif 000006
【図５】
2007278821.tif 000007
【図６】
2007278821.tif 000008
【図７】
2007278821.tif 000009
【図８】
2007278821.tif 000010
【図９】
2007278821.tif 000011
【図１０】
2007278821.tif 000012
【図１１】
2007278821.tif 000013
【図１２】
2007278821.tif 000014
【図１３】
2007278821.tif 000015
【図１４】
2007278821.tif 000016
【図１５】
2007278821.tif 000017
【図１６】
2007278821.tif 000018